(57)【要約】【課題】注射器軸方向を含む任意の方向に注射可能な針無注射器を提供する。【解決手段】圧縮バネまたはガス圧を薬液発射の動力源とする針無注射器において、球形状のように凹凸が無い滑らかな先端外形と、注射対象物の体形の大きさとその注射部位に適合する長さと滑らかな筒体部分を有し、注射器の中心軸方向に薬液を噴射するための噴射孔と側面の任意の位置から薬液を噴射するための噴射孔を穿設されたノズル１を注射器本体の前側円筒１２に装着する。これにより、狭い注射部位に安全かつ容易に当てがい効率よく薬液注入を行うことができる。【選択図】          図１
2008093331.tif 000002
【特許請求の範囲】
【請求項１】
噴射孔から吸入したノズル内の薬液またはあらかじめノズル内に充填されている薬液をピストンにより押圧して噴射孔から薬液をジェット噴射させて皮下注射を行う針無注射器において、前記ノズルは注射器軸方向と異なる方向に噴射孔を穿設した筒体形を有することを特徴とする針無注射器。
【請求項２】
噴射孔から吸入したノズル内の薬液またはあらかじめノズル内に充填されている薬液をピストンにより押圧して噴射孔から薬液をジェット噴射させて皮下注射を行う針無注射器において、前記ノズルは注射器軸に対し垂直方向を向き、かつ注射器軸方向に沿って噴射孔を複数個穿設した筒体形を有することを特徴とする針無注射器。
【請求項３】
ノズルは凹凸が無い滑らかな先端外形と、注射部位に適合する長さと滑らかな筒体部分を備えていることを特徴とする請求項１及び２記載の針無注射器。
【発明の詳細な説明】
【技術分野】
【０００１】
本発明はノズルの噴射孔から吸入した一定量の薬液、または、あらかじめノズル内に充填されている薬液をジェット噴射させて注射を行う針無注射器に関する。
【背景技術】
【０００２】
針無注射器はその先端部の噴射口から一定量吸入したノズル内の薬液、またはあらかじめノズル内に充填されている薬液を、噴射孔からジェット噴射することにより、薬液を患者（人間以外の動物も含む）に注入する注射器である。すなわち、針無注射器による注射は注射時に注射針を使用しないため、針刺し事故の防止、先端恐怖症の患者に使用が可能等の利点があり、例えば糖尿病患者自身が日常的にインシュリンを自己注射する場合にも用いられている。また、遺伝子薬の導入等にも使用され、針有り注射器と比べて薬効が高い等の発表もされている。
【０００３】
このような針無注射器にはバネを圧縮し、この圧縮力を動力源としてノズル内のピストンを高速前進させ薬液をジェット噴射させる方式のものが多用されている。図７は従来の針無注射器の構成例を示す側面断面図である。図に示すように針無注射器は、両端面が開口している前側円筒１２と後側円筒１４をネジ部１３において螺合してなる円筒体１５Ａと、その先端部に螺着されたノズル１１と、後端部に軸方向に移動可能に内挿されたラッチ解除ボタン１６と、前記円筒体１５Ａの中空部にあって軸方向に移動可能にピストン１７を連結したロッド１８及び後述するラッチ溝２１、固定リング２２、ラッチボール２３、小孔２４及び圧縮バネ２５からなるロッド駆動機構１９から構成されている。
【０００４】
前記ロッド１８の前方部にはフランジリング２０が一体的に結合され、後方円周部にはラッチ溝２１が設けられている。また、後側円筒１４内の後方には固定リング２２が固設され、フランジリング２０と固定リング２２間にはロッドを内挿した圧縮バネ２５が介在している。前記固定リング２２の後方円周部には複数個の小孔２４が設けられ、その中にラッチボール２３がはめ込まれている。そして、前記固定リング２２とラッチ解除ボタン１６間にはロッド１８を通して圧縮バネ２６が介設されていて、この圧縮バネ２６の反発力により、ラッチ解除ボタン１６には常に後退方向への力が付勢されている。
【０００５】
上記針無注射器で薬液を吸入するには、前側円筒１２を固持してノズル１１の先端を薬液バイアル（図示省略）の吸出口に当てて、後側円筒１４を回転して後退させ、薬液量表示窓２７の目盛数字（図示省略）を見ながら必要量をノズル１１とピストン１７との間の空間室内に吸入する。そして上記方法にて薬液を吸入した針無注射器のノズル１１を患者の注射部位に当てがい、ラッチ解除ボタン１６を押すとラッチボール２３はラッチ溝２１から飛び出し、ロッド１８はフリーとなり圧縮バネ２５の反発力を受けて高速で前方に移動する。このピストン１７によって空間室内の薬液は高圧で押圧され、噴射孔１１ａから高速でジェット噴射され皮下注射が行われる（特許文献１参照。）。
【０００６】
【特許文献１】特開２００３−７９７２５号公報
【発明の開示】
【発明が解決しようとする課題】
【０００７】
従来の針無注射器は上記のように構成されているが、皮下注射が目的のため、ノズルとその噴射孔を腕や腹などの外皮にしっかり当てることを目的とした外形になっており、注射器軸方向にしか噴射できないという問題がる。そのため、外皮以外の部位への注射、例えば、口腔内、鼻腔内、膣内等の狭い注射部位への効率的な注射は困難もしくは不可能になっていた。
本発明は、このような事情に鑑みてなされたものであって、口腔内、鼻腔内、膣内等の狭い注射部位への効率的な注射が可能な針無注射器を提供することを目的とする。
【課題を解決するための手段】
【０００８】
上記の目的を達成するため、本発明の針無注射器は、噴射孔から吸入したノズル内の薬液またはあらかじめノズル内に充填されている薬液をピストンにより押圧して噴射孔から薬液をジェット噴射させて皮下注射を行う針無注射器において、前記ノズルは注射器軸方向と異なる方向に噴射孔を穿設した筒体形を有するものである。
また、本発明の針無注射器の前記ノズルは注射器軸に対し垂直方向を向き、かつ注射器軸方向に沿って噴射孔を複数個穿設した筒体形を有するものである。
さらに、本発明の針無注射器は、上記構成の針無注射器において、凹凸が無い滑らかな先端外形と、注射部位に適合する長さと滑らかな筒体部分を備えたノズルを装着しているものである。
本発明の針無注射器は上記の構成を用いることにより、口腔内、鼻腔内、膣内等の狭い注射部位への効率的な注射を可能にすることができる。
【発明の効果】
【０００９】
本発明の針無注射器は注射器軸方向の噴射孔以外に任意の方向に向いた噴射孔を備えているので外皮以外の狭い場所、例えば・口腔内、鼻腔内、膣内等の注射部位に安全かつ容易に注射を行うことができる。また、任意の方向に複数の噴射孔を備えているので注射回数を減らすことができる。
【発明を実施するための最良の形態】
【００１０】
本発明による針無注射器の実施例を図面を参照しながら説明する。図１は本発明の実施例による針無注射器の側面断面図、図２は針無注射器に用いられるノズル１の側面断面図（Ａ）及びＡ−Ａ断面図（Ｂ）である。この針無注射器は、ノズル１を含む先端部分以外の構成は、図７に示す従来の針無注射器と同一構成を用いているので、これらの構成要素には同一符号を付して示す。
【００１１】
本針無注射器は図１に示すように、一体成型により埋め込まれたシリンダブロック３Ａの先端開口部に薬液漏洩防止用のガスケット２を嵌合させ、ノズル１をシリンダブロック３Ａの先端に螺合させて装着している前側円筒３と後側円筒１４とをネジ部１３において螺合してなる円筒体１５と、前記円筒体１５の中空部にあって軸方向に移動可能なピストン４を連結したロッド１８と、このロッド１８を後側円筒１４にラッチして圧縮バネ２５を圧縮し前進力を付勢するロッド駆動機構１９と、ロッド駆動機構１９のラッチを解除して前記シリンダブロック３Ａ内のピストン４を高速前進させるため後側円筒１４の後端部に軸方向に移動可能に内挿されたラッチ解除ボタン１６等から構成されている。
【００１２】
前記ノズル１は図２に示すように先端部分を球形状にし後端部分を円周方向に広げ、これらを連結する胴体部分を円筒形にした筒体部１ｃを有するもので、ステンレス鋼などの高硬度の金属材料を用いて製作される。このノズル１には注射器の軸方向に薬液を噴射するための噴射孔１ａと側面の任意の位置から薬液を噴射するための噴射孔１ｂとが穿設されている。また、前記ピストン４は注射時ノズル１の内壁に密着する形状の金属又は樹脂の成型部材が用いられる。この針無注射器は先端が球形状で断面が円形の筒体のノズル１が装着されているので、人や動物の口腔内、鼻腔内、膣内等の狭い注射部位に容易に挿入して注射を行うことができる。
【００１３】
図１の状態の針無注射器を用いて注射を行うには、先ず後側円筒１４を右回転して前進させラッチボール２３をラッチ溝２１に嵌め込みロッド１８を後側円筒１４にラッチする。そして、容器に収容した薬液中にノズル１を浸漬した状態で後側円筒１４を左回転して後退させ薬液Ｍを図３に示すようにノズル１とピストン４の間に形成される空間部に吸入する。そして例えば口腔内部の奥部とその上辺に注射をする場合、図４に示すようにその注射部位にノズル１の噴射孔１ｂを上向きにして挿入し、注射部位に当てた状態でラッチ解除ボタン１６を押す。これによりロッド１８のラッチは解除されピストン４で薬液が押圧され、薬液は先端の噴射孔１ａと側面の噴射孔１ｂからジェット噴射され口腔内の奥部周辺に注入される。
【００１４】
図５にノズル１の他の実施例としてノズル５の断面図を示す。このノズル５は、注射器の軸方向に薬液を噴射する噴射孔５ａと、側面の任意の位置に複数の噴射孔を設けるようにしたもので、９０度間隔で注射器軸に垂直な方向に薬液を噴射する噴射孔５ｂ、５ｃ、５ｄ、５ｅを設けている。これらの噴射孔５ｂ〜５ｅは対象となる注射部位に応じて取捨選択されて加工される。このノズル５は、前記ノズル１を使用した場合に比べ一度の注射で多くの薬液を効率的に注入でき注射回数を減らすことができる。
【００１５】
さらにノズル１の他の実施例として図６にノズル６の断面図を図６に示す。このノズル６は、注射器軸と垂直方向の任意の位置に同一方向に噴射孔６ｂを複数個並設したものである。このノズル６を装着した針無注射器は、注射部位が例えば口腔内の側壁に沿って広がっているような場合に一度の注射で必要な注射部位に薬液を注入でき効率的な注射が行える。
【００１６】
前記ノズル１、５、６はいずれも先端が球形状のような凹凸が無い滑らかな外形と、注射部位に適合する長さと、滑らかな筒体部分を備えているものであることが望ましい。その太さと長さは注射対象物及び注射部位等により決定されるものである。例えば、ブタ、牛、馬など人間より大きな動物に用いられるノズルは人間用のノズルと比べて太さや長さは大きく、マウスやラットなどは小さいものを使用する。
【００１７】
本針無注射器は上記実施例に示した構成に限定されるものではない。例えば、本針無注射器は図１に示すようにピストン発進力に圧縮バネ２５の圧縮力を動力源として利用しているが、ガス圧力を動力源として利用してもよい。またノズル１とシリンダブロック３Ａに取り付け穴を設けて、ボルト−ナット固定で取り付けても良い。また、片方にバカ穴、もう片方にメネジを切ってボルト固定でも良い。またノズル１と前側円筒３と一体化したものであっても良い。着脱可能であれば注射器本体は複数回の注射が出来て経済的であるし、一体化されていれば、使い捨て針無注射器となり、衛生的な注射器となる。
【産業上の利用可能性】
【００１８】
本発明はノズルの噴射孔から吸入した一定量の薬液、または、あらかじめノズル内に充填されている薬液をジェット噴射させて注射を行う針無注射器、特に口腔内などの狭い注射部位に注射する針無注射器に利用できる。
【図面の簡単な説明】
【００１９】
【図１】本発明の実施例による針無注射器の構成を示す側面断面図である。
【図２】実施例に係わるノズル１の側面断面図（Ａ）とそのＡ−Ａ断面図（Ｂ）である。
【図３】薬液を吸入した状態における針無注射器の先端部の側面断面図である。
【図４】実施例による針無注射器を用い口腔内注射を行った場合の状態を示す図である。
【図５】実施例に係わる他のノズル５の側面断面図（Ａ）とそのＡ−Ａ断面図（Ｂ）である。
【図６】実施例に係わる他のノズル６の側面断面図（Ａ）とそのＡ−Ａ断面図（Ｂ）である。
【図７】従来の針無注射器の構成を示す側面断面図である。
【符号の説明】
【００２０】
１  ノズル
１ａ、１ｂ、１ｃ  噴射孔
２  ガスケット
３  前側円筒
３Ａ  シリンダブロック
４  ピストン
５  ノズル
５ａ、５ｂ、５ｃ、５ｄ、５ｅ  噴射孔
６  ノズル
６ｂ  噴射孔
１１  ノズル
１１ａ  噴射孔
１２  前側円筒
１３  ネジ部
１４  後側円筒
１５  円筒体
１５Ａ  円筒体
１６  ラッチ解除ボタン
１７  ピストン
１８  ロッド 
１９  ロッド駆動機構
２０  フランジリング
２１  ラッチ溝
２２  固定リング
２３  ラッチボール
２４  小孔
２５  圧縮バネ
２６  圧縮バネ
２７  薬液量表示窓
【図１】
2008093331.tif 000003
【図２】
2008093331.tif 000004
【図３】
2008093331.tif 000005
【図４】
2008093331.tif 000006
【図５】
2008093331.tif 000007
【図６】
2008093331.tif 000008
【図７】
2008093331.tif 000009